(57)【特許請求の範囲】
【請求項１】
少なくとも一つの階高にわたり建物のコーナー角度に整合させて一体に折曲成形した軽量気泡コンクリート製コーナーパネルの配筋構造において、
前記折曲成形したパネルの二面それぞれの短手方向と平行に適宜間隔で配置してパネルのコーナー側に位置する端部側で交差させた短尺鉄筋と、
少なくとも前記交差部でパネルの長手方向と平行に短尺鉄筋間に架け渡して該短尺鉄筋を平行に連結している通し鉄筋と、
前記パネルの長手方向両端部近傍に位置する短尺鉄筋あるいは通し鉄筋の少なくとも一方の鉄筋に溶接して、前記パネル長手方向と平行に配設したアングル形状のナット支持部材と、
前記ナット支持部材に溶接して、壁パネルと連結するための金具をボルトで固定するために一端のボルト螺着口をパネルの上下端の表面又は内側表面で開口させた取り付けナット
とよりなることを特徴とする軽量気泡コンクリート製コーナーパネルの配筋構造。
【発明の詳細な説明】
【０００１】
【発明の属する技術分野】
この発明は軽量気泡コンクリート製パネルの配筋材の構造に関し、特にはコーナーパネルに好適な配筋構造に関する。
【０００２】
【従来の技術】
いわゆるプレキャストコンクリートパネルを外壁に使用して、所要の建物を構築することが多く行なわれている。この場合、建物のコーナー部分の構成として、あらかじめ当該コーナー形状に合わせて略直角等に成形したコーナーパネルを使用することがある。かかるコーナーパネルは、隣接する平板な壁パネルとその木口部を突き合わせて連結して用いられる。
【０００３】
このようなプレキャストコンクリートパネルには、パネルに負荷される曲げ力等に抗するために配筋材が埋設される。この配筋材の配筋構造は、いずれの曲げ方向にも対応できるよう、一般的にはいわゆるメッシュ筋が利用され、さらにパネル寸法等によっては補強の意味から、メッシュ筋よりも形状を大きくしたアングル材等の補強筋が、パネルの長手方向通しで前記メッシュ筋に溶接して配設されることがある。なお、コーナーパネルを建物躯体に取り付けるため、通常は上記メッシュ筋や補強筋等からなる配筋材に、そのパネル端部に臨む位置にナット等が取り付けられる。
【０００４】
このコーナーパネルを、取扱いの利便性等の理由から、軽量気泡コンクリートを用いて形成することが行なわれている。前記軽量気泡コンクリートパネルはポーラスな構造からなるため、普通コンクリートパネルよりは脆弱で剛性が低いといえるが、パネル自体が軽量で、自重による負荷が軽減されるので、建材として用途によっては十分な性能があり、軽量性を生かした利用が図られている。例えば、住宅のように一つの階高にわたる高さ２．５ｍ程度のコーナーパネル等では、必ずしも補強筋を使用する必要がない。それにもかかわらず、従来においては、軽量気泡コンクリートの脆弱さ等を理由に安全率を余分にみたりしてコーナーパネルの配筋材を設計しており、軽量気泡コンクリートの特徴である軽量性が十分に生かされていなかった。
【０００５】
【発明が解決しようとする課題】
本発明はこのような現状に鑑みて提案されたもので、パネルの取り付け強度や剛性を損なうことなくパネルを軽量にでき、しかも作業性や実用性に優れる、経済的な軽量気泡コンクリート製コーナーパネルの配筋材の構造を提供しようとするものである。
【０００６】
【課題を解決するための手段】
すなわち、この発明は、少なくとも一つの階高にわたり建物のコーナー角度に整合させて一体に折曲成形した軽量気泡コンクリート製コーナーパネルの配筋構造において、前記折曲成形したパネルの二面それぞれの短手方向と平行に適宜間隔で配置してパネルのコーナー側に位置する端部側で交差させた短尺鉄筋と、少なくとも前記交差部でパネルの長手方向と平行に短尺鉄筋間に架け渡して該短尺鉄筋を平行に連結している通し鉄筋と、前記パネルの長手方向両端部近傍に位置する短尺鉄筋あるいは通し鉄筋の少なくとも一方の鉄筋に溶接して、前記パネル長手方向と平行に配設したアングル形状のナット支持部材と、前記ナット支持部材に溶接して、壁パネルと連結するための金具をボルトで固定するために一端のボルト螺着口をパネルの上下端の表面又は内側表面で開口させた取り付けナット
とよりなることを特徴とする。
【０００７】
【発明の実施の形態】
以下添付の図面に従ってこの発明を詳細に説明する。
図１はこの発明の配筋構造の一例についてその中間部を省略した斜視図、図２は前記配筋材を埋設した軽量気泡コンクリート製コーナーパネルの施工例を示す要部の斜視図、図３はコーナーパネルの平面断面図である。
【０００８】
本発明の配筋構造は、短尺鉄筋と通し鉄筋とナット支持部材と取り付けナットとからなり、図２の鎖線で示すように、少なくとも一つの階高にわたり建物のコーナー角度に整合させて一体に折曲成形した軽量気泡コンクリート製コーナーパネルＣに埋設されて用いられ、そのコーナーパネルＣの補強及び、隣接する壁パネルＷや図示しない建物躯体等とコーナーパネルＣとの連結固定に用いられる。図１にその配筋材の一例を示す。図中の符号１０は配筋材、１１は短尺鉄筋、１２は通し鉄筋、１３はナット支持部材、１４は取り付けナットである。なお、図２ではナット支持部材および取り付けナットの図示は省略している。
【０００９】
図１および図２に示すように、短尺鉄筋１１は、コーナーパネルＣのそれぞれの短手方向Ｃ１，Ｃ１に対して平行にかつコーナーパネルＣの長手方向Ｃ２に沿って適当な間隔で配置されている。短尺鉄筋１１の長さは、コーナーパネルＣの二面（図３に示すＣａ，Ｃｂ）にそれぞれ配置された短尺鉄筋１１，１１が、コーナーパネルのコーナー部Ｃ３側における端部で図２のように交差する程度の長さとされる。また、短尺鉄筋１１の本数およびその配置間隔に特に限定はなく、パネルの大きさに応じて適宜に設定される。
【００１０】
通し鉄筋１２は、主として前記交差した短尺鉄筋１１，１１の平行な配置間隔を保持するためのもので、少なくとも前記短尺鉄筋１１，１１の交差部１５においてコーナーパネルＣの長手方向Ｃ２と平行に短尺鉄筋１１間に架け渡され、溶接等により一体に固着され、もって各短尺鉄筋１１を平行に連結する。この通し鉄筋１２は、コーナーパネルＣの短手方向Ｃ１の長さや長手方向Ｃ２寸法等によって、前記交差部１５だけでなく、短尺鉄筋１１の適当な位置に適宜本数設けることができる。本実施例において、この通し鉄筋１２は、前記交差部１５を両側から挟むように２本配置されている。
【００１１】
ナット支持部材１３は、二つの辺１３ａ，１３ｂで断面略Ｌ字形を構成するアングル形状からなり、一方の辺１３ａが、前記コーナーパネルＣの長手方向Ｃ２の両端部近傍に位置する短尺鉄筋１１ａかまたは通し鉄筋１２，１２の少なくとも一方の鉄筋に溶接され、他方の辺１３ｂには取り付けナット１４が溶接される。このナット支持部材１３は、アングル形状からなるため剛性が高く、配筋材の端部を補強するとともに取り付けナット１４を正しい位置に保持する。本実施例のナット支持部材１３は、図のように複数の短尺鉄筋１１ａに溶接されている。
【００１２】
前記ナット支持部材１３の長さは、前記長手方向Ｃ２の両端部近傍の短尺鉄筋１１ａを複数本溶接する程度の長さであればよい。このようにナット支持部材１３を、コーナーパネルＣの長手方向Ｃ２の両端部近傍に配設して、従来の配筋構造よりも短く設定することにより、配筋材の埋設によるコーナーパネルＣの重量増加が少なくなり、パネル施工時の作業性が確保される。特に、軽量気泡コンクリートの持つ軽量性を損なわずに実効性のある強度を付与することができるので、極めて都合がよい。さらに、ナット支持部材１３が短いものでよいため経済的であり、しかも図のようなアングル形状をしているものであればよいため、適当な鋼製部材の端材や廃材をナット支持部材１３として使用することができ、資源の再利用を図ることができる。
【００１３】
なお、前記ナット支持部材１３の各辺１３ａ，１３ｂの幅に特に定めはなく、一方の辺１３ａと前記短尺鉄筋１１とが、また他方の辺１３ｂと取り付けナット１４とが確実に溶接固着可能であり、しかもナット支持部材１３全体が前記コーナーパネルＣ内に完全に埋設される幅とされる。
【００１４】
取り付けナット１４は、例えば図２に示すように、コーナーパネルＣと壁パネルＷとを連結する金具１８をボルト１７で固定するためのもので、一端のボルト螺着口１４ｂ（図１及び図３に示す）がコーナーパネルＣの表面で開口するようにして、前記ナット支持部材１３の他方の辺１３ｂに一側面１４ａで溶接され固着されている。
【００１５】
本実施例において取り付けナット１４は、図１に示すように、パネルＣの上下端の表面で開口するように前記ナット支持部材１３に溶接されているが、コーナーパネルＣと壁パネルＷ又は建物躯体との連結を、パネルＣの内側表面で行う場合においては（図示せず）、取り付けナット１４をパネルＣの内外表面と直交する方向に沿わせ、かつボルト螺着口１４ｂがパネルＣの内側表面で開口するようにしてナット支持部材１３に溶接する。
【００１６】
前記構造の配筋材１０は、コーナーパネルＣの成形の際、その型枠内に予め配置しておき軽量気泡コンクリートスラリーの打設によりパネル内に一体に埋設される。
【００１７】
【発明の効果】
以上図示し説明したように、この発明の軽量気泡コンクリート製コーナーパネルの配筋構造は、短尺鉄筋と通し鉄筋と、パネルの長手方向両端部近傍に設けたアングル状のナット支持部材と取り付けナットよりなり、主要な補強筋が鉄筋であるため、配筋材全体がそれほど重くならず、それによって軽量気泡コンクリート製コーナーパネルを重くせず、軽量気泡コンクリートの優れた特徴である軽量性を生かしながら、充分なパネル強度を得ると共に、良好な作業性を得ることができる。
【００１８】
さらに、本発明の配筋構造によれば、他の鋼製部材を加工等する際に生じる廃材や端材をナット支持部材として利用できるので、資源のリサイクルが可能でコストダウンに大きく寄与することができる。
【図面の簡単な説明】
【図１】  この発明の配筋構造の一例について中間部を省略した斜視図である。
【図２】  前記配筋材を埋設した軽量気泡コンクリート製コーナーパネルの施工例を示す要部の斜視図である。
【図３】  コーナーパネルの平面断面図である。
【符号の説明】
１０  配筋材
１１  短尺鉄筋
１２  通し鉄筋
１３  ナット支持部材
１４  取り付けナット
１５  交差部
Ｃ  コーナーパネル
Ｗ  壁パネル
【図１】
0003853446.tif 000002
【図２】
0003853446.tif 000003
【図３】
0003853446.tif 000004